(57)【要約】【課題】燃焼タンク内からの蒸発燃料を吸着して、大気への拡散を防止する吸着剤を備えた発電装置において、吸着剤のパージ特性を向上させ、この吸着剤の寿命を向上させるようにする。【解決手段】発電装置１は、発電機８を駆動するエンジン９と、このエンジン９に供給される燃料１２を貯留する燃料タンク５０と、この燃料タンク５０から生じる蒸発燃料５１の吸着剤５２を収容するキャニスタ５３とを備える。キャニスタ５３内を大気側と連通させる連通孔５４を形成する。キャニスタ５３をエンジン９の吸気系部材１４に連通させる。キャニスタ５３をエンジン９の排気系部材１６の近傍に配置する。【選択図】図１
2008208793.tif 000002
【特許請求の範囲】
【請求項１】
発電機を駆動するエンジンと、このエンジンに供給される燃料を貯留する燃料タンクと、この燃料タンク内から生じる蒸発燃料の吸着剤を収容するキャニスタとを備え、このキャニスタ内を大気側と連通させる連通孔を形成すると共に、このキャニスタを上記エンジンの吸気系部材に連通させた発電装置において、
上記キャニスタを上記エンジンの排気系部材の近傍に配置したことを特徴とする発電装置におけるキャニスタ配設構造。
【請求項２】
上記発電機、エンジン、燃料タンク、およびキャニスタを一体的に開閉可能に覆う防音カバーを設け、この防音カバーの一部分の内面近傍に上記キャニスタを配置すると共に、上記排気系部材と上記防音カバーの一部分との間に上記キャニスタを配置したことを特徴とする請求項１に記載の発電装置におけるキャニスタ配設構造。
【請求項３】
上記連通孔を上記キャニスタの底部に形成したことを特徴とする請求項１、もしくは２に記載の発電装置におけるキャニスタ配設構造。
【発明の詳細な説明】
【技術分野】
【０００１】
本発明は、発電装置におけるキャニスタ配設構造に関し、より詳しくは、エンジン用の燃料タンク内から生じる蒸発燃料を吸着する吸着剤を収容したキャニスタの配設構造に関するものである。
【背景技術】
【０００２】
上記蒸発燃料の吸着剤を収容するキャニスタを備えた装置として、従来、下記特許文献１に示されるものがある。この公報のものによれば、上記装置はエンジンと、このエンジンに供給される燃料を貯留する燃料タンクと、この燃料タンク内から生じる蒸発燃料の吸着剤を収容するキャニスタとを備えている。また、このキャニスタ内を大気側と連通させる連通孔が形成されると共に、このキャニスタは上記エンジンの吸気系部材に連通させられている。
【０００３】
そして、上記エンジンは燃料タンクからの燃料供給により駆動して、所定の駆動力を出力する。この場合、吸着剤とこれを収容したキャニスタは、一般に、次のように働く。即ち、上記燃料タンクでは蒸発燃料がほぼ常時発生している。そして、上記エンジンの停止時やアイドリングなど低速駆動時には、上記蒸発燃料はそのほとんどが上記吸着剤に吸着されて、大気への拡散が防止される。
【０００４】
一方、エンジンの中速、高速駆動時には、上記エンジンの吸気系部材内の負圧が大きくなる。このため、この負圧により上記キャニスタの連通孔を通しこのキャニスタ内に大気側から空気が吸入される。そして、この吸入された空気と共に、蒸発燃料は上記吸気系部材内に吸入され、ここからエンジンに供給されて燃焼に供される。また、上記のようにして吸着剤に吸着されていた蒸発燃料は、上記連通孔を通しキャニスタ内に吸入された空気により、上記吸着剤から離脱（パージ）させられ、上記と同様にしてエンジンにて燃焼に供される。
【特許文献１】特開平０７−３４９８５号公報
【発明の開示】
【発明が解決しようとする課題】
【０００５】
ところで、上記蒸発燃料を吸着剤に吸着させたまま長期間放置した場合や、この吸着剤の長期間の使用により、この吸着剤に対する蒸発燃料の吸着、離脱を幾度となく繰り返した場合には、上記吸着剤からの蒸発燃料の離脱率（パージ特性）が低下して、吸着剤の性能が低下するという寿命上の問題点が生じてくる。
【課題を解決するための手段】
【０００６】
本発明は、上記のような事情に注目してなされたもので、本発明の目的は、燃焼タンク内からの蒸発燃料を吸着して、大気への拡散を防止する吸着剤を備えた発電装置において、上記吸着剤のパージ特性を向上させ、この吸着剤の寿命を向上させるようにすることである。
【０００７】
請求項１の発明は、発電機８を駆動するエンジン９と、このエンジン９に供給される燃料１２を貯留する燃料タンク５０と、この燃料タンク５０内から生じる蒸発燃料５１の吸着剤５２を収容するキャニスタ５３とを備え、このキャニスタ５３内を大気側と連通させる連通孔５４を形成すると共に、このキャニスタ５３を上記エンジン９の吸気系部材１４に連通させた発電装置において、
上記キャニスタ５３を上記エンジン９の排気系部材１６の近傍に配置したことを特徴とする発電装置におけるキャニスタ配設構造である。
【０００８】
請求項２の発明は、請求項１の発明に加えて、上記発電機８、エンジン９、燃料タンク５０、およびキャニスタ５３を一体的に開閉可能に覆う防音カバー６１を設け、この防音カバー６１の一部分６２の内面近傍に上記キャニスタ５３を配置すると共に、上記排気系部材１６と上記防音カバー６１の一部分６２との間に上記キャニスタ５３を配置したことを特徴とする請求項１に記載の発電装置におけるキャニスタ配設構造である。
【０００９】
請求項３の発明は、請求項１、もしくは２の発明に加えて、上記連通孔５４を上記キャニスタ５３の底部に形成したことを特徴とする請求項１、もしくは２に記載の発電装置におけるキャニスタ配設構造である。
【００１０】
なお、この項において、上記各用語に付記した符号は、本発明の技術的範囲を後述の「実施例」の項や図面の内容に限定解釈するものではない。
【発明の効果】
【００１１】
本発明による効果は、次の如くである。
【００１２】
請求項１の発明は、発電機を駆動するエンジンと、このエンジンに供給される燃料を貯留する燃料タンクと、この燃料タンク内から生じる蒸発燃料の吸着剤を収容するキャニスタとを備え、このキャニスタ内を大気側と連通させる連通孔を形成すると共に、このキャニスタを上記エンジンの吸気系部材に連通させた発電装置において、
上記キャニスタを上記エンジンの排気系部材の近傍に配置している。
【００１３】
このため、上記エンジンの停止やアイドリングなど低速駆動時に、上記キャニスタに蒸発燃料が吸着された状態から、上記エンジンが中、高速駆動した場合には、このエンジンからの排気を通過させることによって加熱された上記排気系部材の輻射熱により上記キャニスタ内の吸着剤が加熱されて、この吸着剤に吸着されていた蒸発燃料の離脱が助長される。
【００１４】
よって、上記吸着剤からの蒸発燃料の離脱率が向上し、つまり、パージ特性が向上することから、その分、吸着率も向上し、この結果、吸着剤の寿命の向上が達成される。
【００１５】
また、上記のように吸着剤のパージ特性が向上する分、この吸着剤を少なくしてキャニスタを小型にできる。そして、このキャニスタの小型化は、小型化が強く要求されて余剰空間が狭い発電装置にとって極めて有益である。
【００１６】
請求項２の発明は、上記、発電機、エンジン、燃料タンク、およびキャニスタを一体的に開閉可能に覆う防音カバーを設け、この防音カバーの一部分の内面近傍に上記キャニスタを配置すると共に、上記排気系部材と上記防音カバーの一部分との間に上記キャニスタを配置している。
【００１７】
このため、上記排気系部材からキャニスタに向かう輻射熱が無駄に消費されることは、上記防音カバーの一部分によって防止される。よって、上記キャニスタ内の吸着剤が上記輻射熱により効果的に加熱されて、上記パージ特性がより向上する。
【００１８】
請求項３の発明は、上記連通孔を上記キャニスタの底部に形成している。
【００１９】
このため、上記キャニスタ内に溜った水は、上記キャニスタの下方に円滑かつ確実に排水される。よって、上記吸着剤のパージ特性の向上が上記水により阻害される、ということが防止される。
【発明を実施するための最良の形態】
【００２０】
本発明の発電装置におけるキャニスタ配設構造に関し、燃焼タンク内からの蒸発燃料を吸着して、大気への拡散を防止する吸着剤を備えた発電装置において、上記吸着剤のパージ特性を向上させ、この吸着剤の寿命を向上させるようにする、という目的を実現するため、本発明を実施するための最良の形態は、次の如くである。
【００２１】
即ち、発電装置は、発電機を駆動するエンジンと、このエンジンに供給される燃料を貯留する燃料タンクと、この燃料タンク内から生じる蒸発燃料の吸着剤を収容するキャニスタとを備える。このキャニスタ内を大気側と連通させる連通孔が形成されると共に、このキャニスタが上記エンジンの吸気系部材に連通させられる。上記キャニスタが上記エンジンの排気系部材の近傍に配置される。
【実施例】
【００２２】
本発明をより詳細に説明するために、その実施例を添付の図に従って説明する。
【００２３】
図において、符号１は、持ち運び可能な発電装置である。また、説明の便宜上、矢印Ｆｒを前方として以下説明する。
【００２４】
上記発電装置１は地面や床面など作業面上に設置され、かつ、この作業面上を移動可能とされる台車２を備えている。この台車２は車台３と、この車台３を作業面上に支持する前後車輪４と、上記車台３の前、後上端に支持される前後一対のハンドル５とを備えている。
【００２５】
上記車台３には、交流発電機８を駆動する４サイクルのエンジン９が支持されている。このエンジン９は、動力を出力するエンジン本体１０と、このエンジン本体１０に空気１１と燃料１２とによる混合気１３を供給する吸気系部材１４と、上記混合気１３がエンジン本体１０で燃焼させられた後の燃焼ガスを排気１５として外部に排出する排気系部材１６とを備えている。
【００２６】
上記エンジン本体１０は、クランク軸１９を支持するクランクケース２０と、このクランクケース２０に突設されるシリンダ２１と、このシリンダ２１に軸方向に摺動可能に嵌入されるピストン２２と、上記クランク軸１９とピストン２２とを互いに連動連結させる連接棒２３と、上記シリンダ２１の突出端部に形成された吸、排気通路２４，２５を開閉可能とする吸、排気弁２６，２７と、上記シリンダ２１の突出端部に形成された動弁室２８に収容された上記吸、排気弁２６，２７を適宜開閉弁動作させる不図示の動弁機構とを備えている。また、上記シリンダ２１内の燃焼室３０に放電部が臨む点火プラグ３１が設けられている。
【００２７】
上記吸気系部材１４は、上記吸気通路２４に連通するよう連接される気化器３５、吸気管３６、およびエアクリーナ３７を備え、これら３５乃至３７の内部は上記吸気通路２４に連通する他の吸気通路３８とされている。上記気化器３５は、上記他の吸気通路３８の開度を可変とするスロットル弁４０と、このスロットル弁４０を駆動するステップモータであるアクチュエータ４１と、上記スロットル弁４０よりも上流側で、上記他の吸気通路３８の開度を可変とするチョーク弁４２と、このチョーク弁４２を駆動するステップモータであるアクチュエータ４３とを備えている。
【００２８】
上記排気系部材１６は、上記排気通路２５に連通するよう連接される排気管４５およびマフラー４６を備え、これら４５，４６の内部は上記排気通路２５に連通する他の排気通路４７とされている。
【００２９】
上記気化器３５を通して上記エンジン９に供給される燃料１２を貯留する燃料タンク５０が上記エンジン９の上方に設けられている。上記燃料タンク５０内の燃料１２から生じる蒸発燃料５１を吸着する吸着剤５２と、この吸着剤５２を収容するキャニスタ５３とが設けられている。上記吸着剤５２は活性炭とされる。上記キャニスタ５３の底部に、このキャニスタ５３内を大気側と連通させる連通孔５４が形成されている。
【００３０】
上記燃料タンク５０内の上端部を上記キャニスタ５３の上端部内に連通させる連通路５７が設けられている。また、上記キャニスタ５３の上端部内を上記吸気系部材１４のエアクリーナ３７内に連通させる他の連通路５８が設けられている。また、上記動弁室２８を上記吸気系部材１４のエアクリーナ３７内に連通させるブローバイガス通路５９が設けられている。上記各通路５７乃至５９はそれぞれ可撓性のゴムチューブにより形成されている。
【００３１】
上記発電機８、エンジン９、燃料タンク５０、キャニスタ５３、および各通路５７乃至５９を一体的に開閉可能に覆う樹脂製の防音カバー６１が設けられている。
【００３２】
上記キャニスタ５３は、上記排気系部材１６のマフラー４６の側方近傍に配置されている。また、上記防音カバー６１の一部分６２の内面近傍に上記キャニスタ５３が配置されると共に、上記マフラー４６と上記防音カバー６１の一部分６２との間に上記キャニスタ５３が配置されている。上記発電装置１の側面視（図３）で、上記キャニスタ５３は、その全体が上記マフラー４６と防音カバー６１の一部分６２とにそれぞれ重ねられている。
【００３３】
上記エンジン９を始動可能とするスタータモータ６５、上記点火プラグ３１を適宜放電させる点火装置６６、上記エンジン９のエンジン本体１０の温度を検出する温度センサー６７、上記エンジン９のエンジン本体１０のクランク軸１９の回転数を検出する回転数センサー６８が設けられている。
【００３４】
また、上記温度センサー６７と回転数センサー６８との各検出信号を入力して、上記各アクチュエータ４１，４３や点火装置６６を電子的に制御する制御装置６９と、上記発電機８による発電電力の一部を上記制御装置６９を通し入力して充電する一方、上記制御装置６９を介し上記各アクチュエータ４１，４３や点火装置６６等に電力を供給するバッテリ７０と、このバッテリ７０からスタータモータ６５や制御装置６９等への電力供給を断接するメインスイッチ７１と、上記バッテリ７０から上記メインスイッチ７１を通し上記スタータモータ６５への電力供給を断接するスタータスイッチ７２とが設けられている。また、上記制御装置６９には、上記発電機８による発電電力の他部を外部の負荷７３に対し出力する出力部７４が設けられている。
【００３５】
上記制御装置６９の制御によりエンジン９が駆動すると、外部の空気１１が上記吸気系部材１４を通してエンジン９内に向かうよう吸入される。また、上記気化器３５により燃料１２が上記吸入空気１１に供給されて混合気１３が生成され、上記エンジン９にて燃焼に供される。これにより、上記エンジン９が上記発電機８を駆動して発電電力を出力し、これは、上記制御装置６９の負荷７３を通して負荷７３に対し出力可能とされる。上記エンジン９の燃焼で生じた燃焼ガスは排気１５として上記排気系部材１６を通り外部に排出される。
【００３６】
上記の場合、吸着剤５２とキャニスタ５３とは次のように働く。即ち、上記燃料タンク５０では蒸発燃料５１がほぼ常時発生している。そして、上記エンジン９の停止時やアイドリングなど低速駆動時には、上記蒸発燃料５１はそのほとんどが上記連通路５７を通し上記吸着剤５２に吸着されて、大気への拡散が防止される。
【００３７】
一方、上記エンジン９の中、高速時には、上記吸気系部材１４内の負圧が大きくなる。このため、この負圧により上記キャニスタ５３の連通孔５４を通しこのキャニスタ５３内に大気側から空気７６が吸入される。そして、この吸入された空気７６と共に、蒸発燃料５１は上記他の連通路５８を通し上記吸気系部材１４のエアクリーナ３７内に吸入され、ここからエンジン９に供給されて燃焼に供される。また、上記のように吸着剤５２に吸着されていた蒸発燃料５１は上記連通孔５４を通しキャニスタ５３内に吸入された空気７６により、上記吸着剤５２から離脱（パージ）させられ、上記と同様にして、エンジン９にて燃焼に供される。
【００３８】
また、上記エンジン９の駆動中において、動弁室２８に生じるブローバイガス７７は、上記ブローバイガス通路５９を通して上記吸気系部材１４のエアクリーナ３７内に吸入され、ここからエンジン９に供給されて燃焼に供される。
【００３９】
上記構成によれば、キャニスタ５３を上記エンジン９の排気系部材１６の近傍に配置している。
【００４０】
このため、上記エンジン９の停止やアイドリングなど低速駆動時に、上記キャニスタ５３に蒸発燃料５１が吸着された状態から、上記エンジン９が中、高速駆動した場合には、このエンジン９からの排気１５を通過させることによって加熱された上記排気系部材１６のマフラー４６の輻射熱により上記キャニスタ５３内の吸着剤５２が加熱されて、この吸着剤５２に吸着されていた蒸発燃料５１の離脱が助長される。
【００４１】
よって、上記吸着剤５２からの蒸発燃料５１の離脱率が向上し、つまり、パージ特性が向上することから、その分、吸着率も向上し、この結果、吸着剤５２の寿命の向上が達成される。
【００４２】
また、上記のように吸着剤５２のパージ特性が向上する分、この吸着剤５２を少なくしてキャニスタ５３を小型にできる。そして、このキャニスタ５３の小型化は、小型化が強く要求されて余剰空間が狭い発電装置１にとって極めて有益である。
【００４３】
また、前記したように、発電機８、エンジン９、燃料タンク５０、およびキャニスタ５３を一体的に開閉可能に覆う防音カバー６１を設け、この防音カバー６１の一部分６２の内面近傍に上記キャニスタ５３を配置すると共に、上記排気系部材１６と上記防音カバー６１の一部分６２との間に上記キャニスタ５３を配置している。
【００４４】
このため、上記排気系部材１６からキャニスタ５３に向かう輻射熱が無駄に消費されることは、上記防音カバー６１の一部分６２によって防止される。よって、上記キャニスタ５３内の吸着剤５２が上記輻射熱により効果的に加熱されて、上記パージ特性がより向上する。
【００４５】
また、前記したように、連通孔５４を上記キャニスタ５３の底部に形成している。
【００４６】
このため、上記キャニスタ５３内に溜った水７８は、上記キャニスタ５３の下方に円滑かつ確実に排水される。よって、上記吸着剤５２のパージ特性の向上が上記水７８により阻害される、ということが防止される。
【００４７】
なお、以上は図示の例によるが、上記キャニスタ５３は排気系部材１６の排気管４５の近傍に配置してもよい。
【図面の簡単な説明】
【００４８】
【図１】発電装置の平面図である。
【図２】発電装置の全体線図である。
【図３】発電装置の側面図である。
【図４】図１のIV−IV線矢視部分拡大図である。
【符号の説明】
【００４９】
１    発電装置
２    台車
８    発電機
９    エンジン
１０  エンジン本体
１１  空気
１２  燃料
１３  混合気
１４  吸気系部材
１５  排気
１６  排気系部材
４６  マフラー
５０  燃料タンク
５１  蒸発燃料
５２  吸着剤
５３  キャニスタ
５４  連通孔
５７  連通路
５８  連通路
５９  ブローバイガス通路
６１  防音カバー
６２  一部分
【図１】
2008208793.tif 000003
【図２】
2008208793.tif 000004
【図３】
2008208793.tif 000005
【図４】
2008208793.tif 000006